(57)【要約】【課題】光ファイバの部品点数の減少化および小型化を図り、取り扱い容易な光ファイバの接合装置および接合方法並びにこの接合装置に用いられる光ファイバを提供すること。【解決手段】光ファイバの接合装置１０は、光軸ｘが形成されるコア１２を有する内側クラッド１３およびコア１２の光軸ｘと同軸上にあって、内側クラッド１３の端面１３ａ部に設置された導光用玉型レンズ１５を備えた光ファイバ１１と、光ファイバ１１の光軸ｘと同一の光軸ｘが形成されるコア２２を有する光ファイバ２１とを、光ファイバ１１の端面側において接合する。【選択図】  図１
2006011305.tif 000002
【特許請求の範囲】
【請求項１】
光軸が形成されるコアを有するクラッドおよび上記コアの光軸と同軸上にあって、上記クラッドの端面部に設置された導光用玉型レンズを備えた一方の光ファイバと、上記一方の光ファイバの光軸と同一の光軸が形成されるコアを有する他方の光ファイバとを、上記一方の光ファイバのクラッドの端面側にて光学的に接合して構成したことを特徴とする光ファイバの接合装置。
【請求項２】
光軸が形成されるコアを有するクラッドおよび上記コアの光軸と同軸上にあって、上記クラッドの端面部に設置された導光用玉型レンズを備えた一方の光ファイバと、上記一方の光ファイバの光軸と同一の光軸が形成されるコアおよび導光用玉型レンズを有する他方の光ファイバとを、上記一方の光ファイバのクラッドの端面側にて光学的接合して構成したことを特徴とする光ファイバの接合装置。
【請求項３】
光軸が形成されるコアを有するクラッドおよび上記コアの光軸と同軸上にあって、上記クラッドの端面部に設置された導光用玉型レンズを備えた光ファイバと、上記光ファイバの光軸に対して、同一の光軸が形成される受発光手段とを、上記光ファイバのクラッドの端面側にて光学的に接合して構成したことを特徴とする光ファイバの接合装置。
【請求項４】
上記受発光手段は、信号光の受発光装置，励起光の受発光装置および上記各受発光装置にて受発光する信号光および励起光を反射および透過して導光する導光ミラーを備えたことを特徴とする請求項３記載の光ファイバの接合装置。
【請求項５】
光軸が形成されるコアを有するクラッドおよび上記コアの光軸と同軸上にあって、上記クラッドの端面部に設置された導光用玉型レンズを備えた一方の光ファイバの光軸上に、他方の光ファイバのコアの光軸を一致させて光学的に接合することを特徴とする光ファイバの接合方法。
【請求項６】
光軸が形成されるコアを有するクラッドおよび上記コアの光軸と同軸上にあって、上記クラッドの端面部に設置された導光用玉型レンズを備えた光ファイバの光軸上に、他方の光ファイバのコアの光軸と同軸上に設置される導光用玉型レンズの光軸を一致させて光学的に接合することを特徴とする光ファイバの接合方法。
【請求項７】
光軸が形成されるコアを有するクラッドおよび上記コアの光軸と同軸上にあって、上記クラッドの端面部に設置された導光用玉型レンズを備えた光ファイバの光軸上に受発光手段を光学的に接合することを特徴とする光ファイバの接合方法。
【請求項８】
光軸が形成されるコアを有するクラッドと、上記コアの光軸と同軸上にあって、上記クラッドの端面部に設置された導光用玉型レンズとを具備したことを特徴とする光ファイバの接合装置に用いられる光ファイバ。
【請求項９】
光軸が形成されるコアを有するクラッドと、このクラッドの周囲を被覆するように設けられる外側クラッドと、上記コアの光軸と同軸上にあって、上記両クラッドの端面部に設置された導光用玉型レンズとを具備したことを特徴とする光ファイバの接合装置に用いられる光ファイバ。
【請求項１０】
上記両クラッドの少なくとも一方側の端面部に、導光用玉型レンズを収納設置する筒状部を設けたことを特徴とする請求項８または９記載の光ファイバの接合装置に用いられる光ファイバ。
【請求項１１】
上記筒状部は、外側クラッドの端面を、内側クラッドの端面より所要寸法延出させることにより形成したことを特徴とする請求項１０記載の光ファイバの接合装置に用いられる光ファイバ。
【請求項１２】
上記筒状部には、導光用玉型レンズを収容したレンズ保持具が収納設置されたことを特徴とする請求項１１記載の光ファイバの接合装置に用いられる光ファイバ。
【発明の詳細な説明】
【技術分野】
【０００１】
この発明は、光ファイバ同士間、または受発光ユニット（光発信手段）との間において、光伝送する際の接続に適する光ファイバの接合装置および接合方法並びにこの接合装置に用いられる光ファイバに関する。
【背景技術】
【０００２】
従来、この種の光ファイバの接合構造に用いられる光ファイバは、当該光ファイバ同士を接続するにあたって、光軸がずれた場合には、伝送効率が格段に低下する。また、一方では光ファイバ自体の断面形状が通常比較的小径であるために、その接続には慎重且つ精度の高い作業が求められていた。このため、従来、光ファイバの断面形状よりも比較的大きい形状の導光用玉型レンズを用いて、光ファイバ同士の接続作業性を改善したり、光軸合わせの精度向上を図るようにしたものがある。
【０００３】
この種の光ファイバの接合装置として、特開２００３−２５５１８４号公報（特許文献１参照）に開示されたものがある。この光ファイバの接合装置によれば、図４に示すように、シングルファイバ方式の光ファイバの接合装置１が開示されている。
【０００４】
光ファイバの接合装置１は、同一の光軸上に接続される一対の光ファイバ２，２と、この一対の光ファイバ２，２の外側を共通に被覆するフェルール３，３と、これら一対の光ファイバ２およびフェルール３，３の開口端面２ａ，２ａおよび３ａ，３ａ間にあって、一対の光ファイバ２の一方側と他方側の光軸を共通にするために設けられる光軸整合手段４と、これらの一対の光ファイバ２，２の外側を共通に被覆するフェルール３および光軸整合手段４とを外側から共通に被覆するスリーブ５とから構成されている。
【０００５】
光軸整合手段４は、一対の光ファイバ２，２の光軸と同一の光軸上に位置するように設けられる導光用玉型レンズ６と、この導光用玉型レンズ６を安定に保持すると共に、一対の光ファイバ２，２の開口端面２ａ，２ａ，フェルール３，３の開口端面３ａ，３ａ間とスリーブ５の内周面に密接状態に固定され、光透過性の良好な材質にて製作された導光用玉型レンズ保持具７とから構成されている。
【０００６】
この導光用玉型レンズ保持具７は、導光用玉型レンズ６を中央部に保持し、横断面外形が、フェルール３の横断面外形と同大きさの外形を有しており、この導光用玉型レンズ保持具７を介して一対の光ファイバ２，２同士を接合する際、これらの導光用玉型レンズ保持具７およびフェルール３の上記外形の大きさが一致していることから、その接合作業性が良好なものである。
【０００７】
また、光軸整合手段４には、導光用玉型レンズ６を用いているので、一対の光ファイバ２，２の一方側から伝送される光線は、この導光用玉型レンズ６により所定の屈折率により屈折された後、他方側へ伝送されるようになっている。
【０００８】
従って、光ファイバ２，２の光軸に対して、導光用玉型レンズ６の光軸を合わせることが比較的容易にできるものである。
【特許文献１】特開２００３−２５５１８４号公報（第３頁左欄第４３〜第４頁左欄第１５行および図１）
【発明の開示】
【発明が解決しようとする課題】
【０００９】
光ファイバの接合装置１の構成によれば、一対の光ファイバ２，２を接続するに際して、一対の光ファイバ２，２の共通の開口端面２ａ，２ａ間，一対のフェルール３，３の端面３ａ，３ａ間およびスリーブ５の内周面に、光軸整合手段４を設置する構成になっているので、比較的厚肉のフェルール３，３が必要であり、また、これらのフェルール３，３を外側から共通のスリーブ５により被覆した構成にしていることから、接合構造部の部品点数が多くなることと相俟って光ファイバ同士の接合部が大型化し、受発光ユニット等へ適用した場合、その接合部における光軸の調整作業に不便をきたしていた。
【００１０】
本発明は、上記の事情に鑑みてなされたもので、光ファイバの端面部に予め導光用球型レンズを一体的に設けるようにして、部品点数の減少化および小型化を図ると共に、光ファイバ同士やその他の伝送手段との接合作業が容易な光ファイバの接合装置および接合方法並びに光ファイバの接合装置に用いられる光ファイバを提供することを目的とする。
【課題を解決するための手段】
【００１１】
上記目的を達成するために、本発明によれば、光軸が形成されるコアを有するクラッドおよび上記コアの光軸と同軸上にあって、上記クラッドの端面部に設置された導光用玉型レンズを備えた一方の光ファイバと、上記一方の光ファイバの光軸と同一の光軸が形成されるコアを有する他方の光ファイバとを、上記一方の光ファイバのクラッドの端面側にて光学的に接合して構成した光ファイバの接合装置を提供する。
【００１２】
上記目的を達成するために、本発明によれば、光軸が形成されるコアを有するクラッドおよび上記コアの光軸と同軸上にあって、上記クラッドの端面部に設置された導光用玉型レンズを備えた一方の光ファイバと、上記一方の光ファイバの光軸と同一の光軸が形成されるコアおよび導光用玉型レンズを有する他方の光ファイバとを、上記一方の光ファイバのクラッドの端面側にて光学的接合して構成した光ファイバの接合装置を提供する。
【００１３】
上記目的を達成するために、本発明によれば、光軸が形成されるコアを有するクラッドおよび上記コアの光軸と同軸上にあって、上記クラッドの端面部に設置された導光用玉型レンズを備えた光ファイバと、上記光ファイバの光軸に対して、同一の光軸が形成される受発光手段とを、上記光ファイバのクラッドの端面側にて光学的に接合して構成したことを特徴とする光ファイバの接合装置を提供する。
【００１４】
上記目的を達成するために、本発明によれば、光軸が形成されるコアを有するクラッドおよび上記コアの光軸と同軸上にあって、上記クラッドの端面部に設置された導光用玉型レンズを備えた一方の光ファイバの光軸上に、他方の光ファイバのコアの光軸を一致させて光学的に接合する光ファイバの接合方法を提供する。
【００１５】
上記目的を達成するために、本発明によれば、光軸が形成されるコアを有するクラッドおよび上記コアの光軸と同軸上にあって、上記クラッドの端面部に設置された導光用玉型レンズを備えた光ファイバの光軸上に、他方の光ファイバのコアの光軸と同軸上に設置される導光用玉型レンズの光軸を一致させて光学的に接合する光ファイバの接合方法を提供する。
【００１６】
上記目的を達成するために、本発明によれば、光軸が形成されるコアを有するクラッドおよび上記コアの光軸と同軸上にあって、上記クラッドの端面部に設置された導光用玉型レンズを備えた光ファイバの光軸上に受発光手段を光学的に接合する光ファイバの接合方法を提供する。
【００１７】
上記目的を達成するために、本発明によれば、光軸が形成されるコアを有するクラッドと、上記コアの光軸と同軸上にあって、上記クラッドの端面部に設置された導光用玉型レンズとを具備したことを特徴とする光ファイバの接合装置に用いられる光ファイバを提供する。
【００１８】
上記目的を達成するために、本発明によれば、光軸が形成されるコアを有するクラッドと、このクラッドの周囲を被覆するように設けられる外側クラッドと、上記コアの光軸と同軸上にあって、上記両クラッドの端面部に設置された導光用玉型レンズとを具備したことを特徴とする光ファイバの接合装置に用いられる光ファイバを提供する。
【発明の効果】
【００１９】
本発明によれば、部品点数の減少化および小型化を図ることができ、取り扱い容易な光ファイバの接合装置および接合方法並びにこの接合装置に用いられる光ファイバを提供することができる。
【発明を実施するための最良の形態】
【００２０】
本発明に係る光ファイバの接合装置の実施形態について、添付図面を参照して説明する。
【００２１】
（第１の実施形態）
図１は、本発明の光ファイバの接合装置の第１の実施形態を示す要部の縦断面図である。
【００２２】
光ファイバの接合装置１０は、一方側の光ファイバ１１と、他方側の光ファイバ２１とが、それぞれの光軸ｘが同一となるように、それぞれの端面側を突合せるように接合して構成されたものである。
【００２３】
光ファイバ１１は、この光軸ｘに沿って信号光ｙを伝送するコア１２と、このコア１２を被覆する内側クラッド１３と、この内側クラッド１３の外側を被覆する外側クラッド１４と、コア１２の端面１２ａ側において、コア１２の光軸ｘと同軸に設けられる導光用玉レンズ１５と、この導光用玉レンズ１５をコア１２の端面１２ａ側に保持するレンズ保持手段である円柱状のレンズ保持具１６とから構成される。
【００２４】
信号光ｙおよび励起光ｚは、それぞれ異なった所定の周波数を有し、色収差が生じることにより、信号光ｙはコア１２内に、また励起光ｚは、内側クラッド１３内にて伝送し得る特性を有している。コア１２は、非輻射遷移の起こり難い、例えばフッ化系樹脂等の素材が用いられ、この周囲に形成されるコア反射層１２ｂにより、図１および図２に示すように、信号光ｙが光軸ｘに沿って反復反射されながら伝送されるようになっている。
【００２５】
内側クラッド１３および外側クラッド１４は、クラッドガラスと呼ばれる、例えばフッ化系ガラスが用いられ、それぞれ異なった光屈折率を有している。また、内側クラッド１３と外側クラッド１４との界面１７により、図１および図２に示すように、励起光ｚが光軸ｘに沿って反復反射されながら伝送されるようになっている。
【００２６】
両クラッド１４と１７との界面１７は、光ファイバ２１側から入射する励起光ｚの光波減衰率が極めて小さい状態で伝送可能な作用をなすものである。
【００２７】
また、コア１２および内側クラッド１３内にそれぞれ伝送される信号光ｙおよび励起光ｚは、光ファイバ１１が、例えば長尺のものが用いられる場合には、要所に光増幅器が配設され、光増幅させて伝送させるようにしている。
【００２８】
外側クラッド１４は、その端面１４ａが、図１および図２に示すように内側クラッド１３の端面１３ａより光軸ｘ方向へｌ寸法分張り出して設けられる。外側クラッド１４の端面１４ａ側を、図１に示すように、ｌ寸法分張り出して形成したことにより、内側クラッド１３の端面１３ａ側をストッパにした筒状部１８が形成される。
【００２９】
導光用玉レンズ１５は、例えばフッ化カルシウム（ホタル石）等の光屈折率の大きい素材を用いて形成された球状のもので、入射する信号光ｙおよび励起光ｚを所要の屈折率にて屈折させて光ファイバ２１側へ導光する作用をなすものである。また、この導光用玉レンズ１５は、光ファイバ１１側の筒状部１８内に、その中心部がコア１２の光軸ｘと同軸になるように収納設置される。従って、導光用玉レンズ１５を筒状部１８内に収納設置するにあたっては、方向性が求められることなく、中心軸（光軸）と導光用玉レンズ１５の中心点が自動的にほぼ合致するように設置される。
【００３０】
また、導光用玉レンズ１５は、筒状部１８内に設置されるにあたって、設置後の実使用時に振動等の外力を受けて位置ずれするのを防止するために、導光用玉レンズ１５を収容して動かないように、光透過性の優れたレンズ保持具１６により前以てレンズ組立として光ファイバ１１（２１）と一体（的）に製作されたものが用いられる。
【００３１】
すなわち、このレンズ保持具１６は、光透過性さらには振動吸収性の優れた部材により形成され、筒状部１８に合致する形状のものが望ましい。また、導光用玉レンズ１５を保持したレンズ保持具１６は、製作段階で導光用玉レンズ１５を一体的に成形してもよいが、例えば複数に分割成形したものに挟み込ませて組立てるようにすることもできる。従って、この導光用玉レンズ１５は、レンズ保持具１６が筒状部１８に収納設置されることによって、所要の位置決めを簡易に行うことができ、且つ堅固に保持させることができる。
【００３２】
次に、他方側の光ファイバ２１は、光ファイバ１１と同様構成もので、励起光ｚを伝送するコア２２と、このコア２２を被覆する内側クラッド２３と、この内側クラッド２３の外側を被覆し信号光ｙを伝送する外側クラッド２４と、コア２２の端面２２ａ側において、コア２２の光軸ｘと同軸に設けられる導光用玉レンズ２５と、この導光用玉レンズ２５をコア２２の端面２２ａ側に保持するレンズ保持具２６とから構成される。また、内側クラッド２３と外側クラッド２４との界面２７は、光源（図示せず）から伝送される励起光ｚを光軸ｘに沿って伝送する作用をなすものである。
【００３３】
ここで、光ファイバ２１を構成するコア２２，内側クラッド２３，外側クラッド２４，導光用玉レンズ２５およびこの導光用玉レンズ２５をコア２２の端面２２ａ側に設けられる筒状部２９およびこの筒状部２９に収納設置されるレンズ保持具２６は、光ファイバ１１側のコア１２，内側クラッド１３，外側クラッド１４，光ファイバ１１の端部に設けられる導光用玉レンズ１５，この導光用玉レンズ１５を収納する筒状部１８，この筒状部１８に導光用玉レンズ１５を位置保持させるために設けたレンズ保持具１６の構成と同様であるので説明を省略する。
【００３４】
両光ファイバ１１および２１とを接合するに際して、光ファイバ１１の外側クラッド１４の端面１４ａ側へ、光ファイバ２１の外側クラッド２４の端面２４ａを手作業等により接合させることにより、両光ファイバ１１および２１間で光伝送可能に接続することができる。すなわち、光ファイバ１１の導光用玉レンズ１５と光ファイバ２１の導光用玉レンズ２５のそれぞれの中心点（光軸ｘ）が、コア１２および２２のそれぞれの光軸ｘ上に一致するように接合させることができる。
【００３５】
また、両光ファイバ１１および２１の接合部分に外力が加わったことにより容易に外れないようにするために、図１の想像線にて示すように、両光ファイバ１１および２１に外側に、例えば引張強度や接着性の良好な接合テープ２８によりテーピングを施すのが望ましい。
【００３６】
また、図示しないが、両光ファイバ１１および２１の接合部を接着剤等の接着手段による接着により一体化させてもよい。
【００３７】
次に、光ファイバの接合装置１０の作用について図１を参照して説明する。
【００３８】
一方の光ファイバ１１と他方の光ファイバ２１とを接合するにあたって、この両光ファイバ１１および２１の外側クラッド１４および２４のそれぞれの端面１４ａと２４ａとを突き合わせるようにして位置合わせする。次に、位置合わせされた光ファイバ１１，２１の外側クラッド１４，２４同士を一体的に接合させるため、両者の位置合わせ部を接合テープ２８によりテーピングする。
【００３９】
このように組み立てられることにより、光ファイバ１１の導光用玉レンズ１５と光ファイバ２１の導光用玉レンズ２５のそれぞれの中心点（光軸）が、コア１２および２２のそれぞれの光軸ｘを通るように、ｘ軸上に保持させる。従って、例えば光ファイバ２１側から光ファイバ１１側へ伝送された信号光ｙおよび励起光ｚは、同一の光軸ｘ上の光ファイバ２１側へ導光用玉レンズ１５を介して導光される。
【００４０】
この導光の状態について更に詳述する。
【００４１】
一方の光ファイバ１１側から、他方の光ファイバ２１側へ信号光ｙおよび励起光ｚが伝送されると、信号光ｙおよび励起光ｚは、図１に示すように、光ファイバ１１側の導光用玉レンズ１５側へ入射され、それぞれ所定の屈折率にて屈折する。屈折して入射した信号光ｙは、コア１２のコア反射層１２ｂにて反復反射しながら光軸ｘ方向に沿って伝送される。また、屈折して入射した励起光ｚは、内側クラッド１３の界面１７にて反射を反復しながら光軸ｘ方向に伝送される。
【００４２】
このように、光ファイバの接合装置１０によれば、光ファイバ１１および２１同士を接合する構成として、光軸ｘが形成されるコア１２を有する内側クラッド１３およびコア１２の光軸ｘと同軸上にあって、内側クラッド１３の端面１３ａ側に設置された導光用玉型レンズ１５を備えた光ファイバ１１と、この光ファイバ１１の光軸ｘと同一の光軸ｘが形成されるようにコア２２を有する光ファイバ２１とを、光ファイバ１１の内側クラッド１３の端面１３ａ側に光学的に接合して構成される。
【００４３】
また、光ファイバの接合装置１０によれば、内側クラッド１３および２３のそれぞれの端面１３ａおよび２３ａ同士を位置合わせして行なうことができるようにしたから、各光ファイバ１１および２１のそれぞれが、光ファイバ単品として予め製作しておくことができる。従って、このように予め製作された単品の光ファイバ同士を接合するにあたっては、接合現場においてそれぞれの光ファイバ１１および２１の端面同士を位置合わせし、そのまま接合を行なえばよいので、作業の容易性に加えて確実に接合させることができる。
【００４４】
また、両光ファイバ１１および２１の端面の接合部をテーピングする等して補強することができるので、この接合部に外力が加わった際にも容易に外れたり、接合位置がずれたりすることがない。
【００４５】
更に、光ファイバの接合装置１０によれば、導光用玉型レンズ１５を有する光ファイバ１１と、導光用玉型レンズ２５を有する同様構成の光ファイバ２１を接合した構成であるが、光ファイバ１１および２１に設けられる導光用玉型レンズ１５および２５のいずれか一方は必ずしも必要としない。
【００４６】
例えば光ファイバ２１は、コア２２とこのコア２２を被覆する２３を備えた構成のものとし、光ファイバ１１の導光用玉型レンズ１５側に対して、コア２２部分を直接接合させた構成であってもよい。この構成の場合には、光ファイバ２１側から１１側へ伝送される信号光ｙおよび励起光ｚの入射角が、光ファイバ１１のコア１２および内側クラッド１３の端面１２ａおよび１３ａ側に入射し得るように、所要の屈折率を有する導光用玉型レンズ１５の光屈折率を前以て用意しておく必要がある。
【００４７】
（第２の実施形態）
次に、本発明の第２の実施形態について、図１と同一部分に同一符号を附した図３を参照して説明する。
【００４８】
図３は、１つの光ファイバ１１と、この光ファイバ１１に対して受発光する受発光手段４０とを光学的に接合した構成の光ファイバの接合装置３０を示す。
【００４９】
この光ファイバの接合装置３０は、信号光ｙおよび励起光ｚが受発光手段４０側から空間を介して光ファイバ１１側へ伝送されるようにした構成のものである。
【００５０】
受発光手段４０は、信号光ｙを発光して光ファイバ１１側へ伝送する信号光の受発光装置４１と、励起光ｚを発光して光ファイバ１１側へ伝送する励起光の受発光装置４２と、これらの各受発光装置４１および４２側から発光する信号光ｙおよび励起光ｚのそれぞれの光成分の一部を透過および反射させて光ファイバ１１側との間で光伝送するように設けられた導光ミラー４３とから構成される。
【００５１】
信号光の受発光装置４１は、光ファイバ４４と、この光ファイバ４４との間で伝送される信号光ｙを受発光し、この受発光する信号光ｙを所要の屈折角に屈折させ導出する導光レンズ４５とから構成される。また、励起光の受発光装置４２は、光ファイバ４６と、この光ファイバ４６との間で伝送される励起光ｚを受発光し、この受発光する励起光ｚを所要の屈折角に屈折させ導光する導光レンズ４７とから構成される。
【００５２】
光ファイバ１１のその他の構成は、第１の実施形態に示す光ファイバの結合装置１０の光ファイバ１１と同様構成であり、説明を省略する。
【００５３】
次に、光ファイバの接合装置３０の作用について説明する。
【００５４】
信号光の受発光装置４１の光ファイバ４４側から、例えば信号光ｙが発光したとすると、この信号光ｙは、導光レンズ４５により所要の屈折角度に屈折される。この所要の屈折角度は、図３に示すように、光ファイバ４４側から発光される信号光ｙの有効発光角度が、例えば６０°（ｄｅｇ）に設定された場合、０°（平行波）まで屈折する作用をなす。
【００５５】
平行波の状態となった信号光ｙは、導光ミラー１５に入射し、その一部が透過して、光ファイバ３１側の導光用玉型レンズ１５へ入射する。一方、光ファイバ４６側から発光される励起光ｚは、導光レンズ４７により所要の屈折角度に屈折される。
【００５６】
この所要の屈折角度は、図３に示すように、例えば光ファイバ４６側から発光される励起光ｚの有効発光角度が、例えば５０°（ｄｅｇ）に設定された場合、０°（平行波）まで屈折する作用をなす。平行波の状態と成った励起光ｚは、導光ミラー４３に入射し、その一部が反射して、光ファイバ３１側の導光用玉型レンズ２５へ入射する。
【００５７】
なお、導光ミラー４３に入射させる信号光ｙおよび励起光ｚの容量（情報伝送容量および伝送速度）は、信号光ｙおよび励起光ｚの有効発光角度の調整および導光ミラー４３の入射角度により適宜に調整することができる。適宜に容量が調整された信号光ｙおよび励起光ｚは、図３に示すように、信号光ｙおよび励起光ｚに対する導光ミラー４３の反射および透光特性により、光ファイバ１１側の導光用玉型レンズ１５側へ伝送される。
【００５８】
光ファイバ１１側の導光用玉型レンズ１５側へ入射した信号光ｙおよび励起光ｚの伝送作用については、第１の実施形態における作用と同様であるので説明を省略する。
【００５９】
このように、光ファイバの接合装置３０は、光軸ｘが形成されるコア１２を有する内側クラッド１３と、コア１２の光軸ｘと同軸上にあって、内側クラッド１３の端面１３ａに、当該内側クラッド１３と一体的に設けられる導光用玉型レンズ１５を一体的に設けた光ファイバ１１と、この光ファイバ１１の内側クラッド１３の端面１３ａに、光ファイバ１１の光軸ｘと同一の光軸ｘ上において受発光する受発光手段４０を光学的に接合して構成したことにより、受発光手段４０が奥まった場所に設置された場合や、距離をおいて設置されている場合等でも光軸ｘの調整が比較的容易であり、延いては種々の受発光手段４０に対して適用が可能となる。
【００６０】
なお、本発明によれば、光ファイバ１１および２１には、界面１７を形成させるために外側クラッド１４および２４を設けた構成としたが、必ずしも必要としない。すなわち、内側クラッド１３の外表面自体に、界面１７と同様作用効果をなさしめる光反射効率のよい表面処理層（図示せず）を施し、代替させることができる。
【図面の簡単な説明】
【００６１】
【図１】本発明に係る光ファイバの接続装置の第１の実施形態を示す要部の縦断側面図。
【図２】図１のＡ−Ａ線に沿う断面図。
【図３】本発明に係る光ファイバの接続装置の第２の実施形態を示す要部の縦断面図。
【図４】従来の光ファイバの接合構造を示す縦断側面図。
【符号の説明】
【００６２】
１０，３０  光ファイバの接合装置
１１，２１，３１  光ファイバ
１２，２２  コア
１２ａ，１３ａ，１４ａ  端面
１２ｂ  コア反射層
１３，２３  内側クラッド
１４，２４  外側クラッド
１５，２５  導光用玉型レンズ
１６，２６  レンズ保持具（レンズ保持手段）
１６ａ，２６ａ  保持具端面
１７，２７  界面（励起光反射面）
１８，２９  筒状部
２８  接合テープ
４０  受発光手段
４１  信号光の受発光装置
４２  励起光の受発光装置
４３  導光ミラー
４４，４６  光ファイバ
４５，４７  導光レンズ
ｘ  光軸
ｙ  信号光
ｚ  励起光
【図１】
2006011305.tif 000003
【図２】
2006011305.tif 000004
【図３】
2006011305.tif 000005
【図４】
2006011305.tif 000006